【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
データ通信のための方法であって、
通常帯域幅キャリアシステムに関するフレキシブル帯域幅キャリアの送信時間間隔（ＴＴＩ）を膨張させることによって、時間膨張を用いるフレキシブル帯域幅キャリアシステムのブロードキャストチャネルについてのターゲットレートを識別すること、ここにおいて、前記ターゲットレートは、前記ブロードキャストチャネルについてのスケーリングされたレートよりも高く、前記スケーリングされたレートは、前記通常帯域幅キャリアシステムのブロードキャストチャネルについての、前記フレキシブル帯域幅キャリアシステムに対応する帯域幅スケーリングファクタによってスケーリングされたレートである、と、
前記ターゲットレートを使用して、前記フレキシブル帯域幅キャリアシステムのブロードキャスト情報を送信することと
を備える方法。
【請求項２】
前記ターゲットレートは、ターゲットデータレートである、
請求項１に記載の方法。
【請求項３】
前記ターゲットレートは、ターゲット繰返しレートである、
請求項１に記載の方法。
【請求項４】
前記フレキシブル帯域幅キャリアシステムの追加のブロードキャストチャネルを追加することと、
前記ターゲットレートを使用して、前記フレキシブル帯域幅キャリアシステムの両方のブロードキャストチャネルを通じて前記ブロードキャスト情報を送信することと
をさらに備える、請求項１に記載の方法。
【請求項５】
前記ターゲットレートは、情報データレートであり、
前記情報データレートは、前記通常帯域幅キャリアシステムの前記ブロードキャストチャネルについての前記レートと実質的に同じである、
請求項１に記載の方法。
【請求項６】
前記ターゲットレートを使用して前記ブロードキャスト情報を送信するのを容易にするために、前記フレキシブル帯域幅キャリアシステムの前記ブロードキャストチャネルについての無線フレームサイクルにおいて送信される各情報ブロックのロケーションを利用することをさらに備える、
請求項１に記載の方法。
【請求項７】
前記無線フレームサイクルにおいて各情報ブロックの前記ロケーションをスケジュールすることをさらに備える、
請求項６に記載の方法。
【請求項８】
前記情報ブロックは、システム情報ブロック（ＳＩＢ）である、
請求項６に記載の方法。
【請求項９】
前記情報ブロックは、マスタ情報ブロック（ＭＩＢ）である、
請求項６に記載の方法。
【請求項１０】
前記ターゲットレートを使用して前記ブロードキャスト情報を送信するのを容易にするために、前記フレキシブル帯域幅キャリアシステムの前記ブロードキャストチャネルについての無線フレームサイクルにおける無線フレームに情報ブロックをマッピングすることをさらに備え、前記無線フレームの持続時間は、前記帯域幅スケーリングファクタに基づく、請求項１に記載の方法。
【請求項１１】
前記ターゲットレートを使用して前記ブロードキャスト情報を送信するのを容易にするために、前記フレキシブル帯域幅キャリアシステムの前記ブロードキャストチャネルの１つまたは複数のプライマリ共通制御物理チャネル（ＰＣＣＰＣＨ）に関するスケーリングされた拡散ファクタを利用することをさらに備え、前記スケーリングされた拡散ファクタは、前記帯域幅スケーリングファクタによって、または前記帯域幅スケーリングファクタの分数によってスケーリングされる、
請求項１に記載の方法。
【請求項１２】
前記ブロードキャスト情報は、アクセスのための信号強度情報、サービスプロバイダ情報、および近隣セル情報のうちの１つまたは複数を含む、
請求項１に記載の方法。
【請求項１３】
前記帯域幅スケーリングファクタは、整数値または有理数値である、
請求項１に記載の方法。
【請求項１４】
データ通信のための方法であって、
通常帯域幅キャリアシステムに関するフレキシブル帯域幅キャリアの送信時間間隔（ＴＴＩ）を膨張させることによって、時間膨張を用いるフレキシブル帯域幅キャリアシステムのブロードキャストチャネルを通じて送信されたブロードキャスト情報をユーザ機器において受信すること、ここにおいて、前記ブロードキャスト情報が受信される際のターゲットレートは、前記ブロードキャストチャネルについてのスケーリングされたレートよりも高く、前記スケーリングされたレートは、前記通常帯域幅キャリアシステムのブロードキャストチャネルについての、前記フレキシブル帯域幅キャリアシステムに対応する帯域幅スケーリングファクタによってスケーリングされたレートである、と、
前記ユーザ機器との通信の候補セルを識別するために、前記ブロードキャスト情報を処理することと
を備える方法。
【請求項１５】
前記ターゲットレートは、ターゲットデータレートである、
請求項１４に記載の方法。
【請求項１６】
前記ターゲットレートは、ターゲット繰返しレートである、
請求項１４に記載の方法。
【請求項１７】
前記ブロードキャスト情報を受信することは、
前記フレキシブル帯域幅キャリアシステムの前記ブロードキャストチャネルを通じて、および前記フレキシブル帯域幅キャリアシステムの追加のブロードキャストチャネルを通じて、前記ターゲットレートで前記ブロードキャスト情報を受信すること
を備える、
請求項１４に記載の方法。
【請求項１８】
前記ブロードキャスト情報を受信することは、
アクセスのための信号強度情報、サービスプロバイダ情報、および近隣セル情報のうちの１つまたは複数を受信することを備える、
請求項１４に記載の方法。
【請求項１９】
前記ブロードキャスト情報を受信することは、
前記フレキシブル帯域幅キャリアシステムの前記ブロードキャストチャネルについての無線フレームサイクルを受信することを備え、情報ブロックは、前記ターゲットレートに基づいて前記無線フレームサイクルにおける無線フレームにマッピングされ、前記無線フレームの持続時間は、前記帯域幅スケーリングファクタに基づく、
請求項１４に記載の方法。
【請求項２０】
前記情報ブロックは、少なくとも１つのシステム情報ブロック（ＳＩＢ）を備える、請求項１９に記載の方法。
【請求項２１】
前記情報ブロックは、少なくとも１つのマスタ情報ブロック（ＭＩＢ）を備える、請求項１９に記載の方法。
【請求項２２】
前記ブロードキャスト情報を受信することは、
前記フレキシブル帯域幅キャリアシステムの前記ブロードキャストチャネルの１つまたは複数のプライマリ共通制御物理チャネル（ＰＣＣＰＣＨ）に関するスケーリングされた拡散ファクタに基づいて、前記ターゲットレートで前記ブロードキャスト情報を受信することを備え、前記スケーリングされた拡散ファクタは、前記帯域幅スケーリングファクタによって、または前記帯域幅スケーリングファクタの分数によってスケーリングされる、請求項１４に記載の方法。
【請求項２３】
通常帯域幅キャリアシステムに関するフレキシブル帯域幅キャリアの送信時間間隔（ＴＴＩ）を膨張させることによって、時間膨張を用いるフレキシブル帯域幅キャリアシステムのブロードキャストチャネルについてのターゲットレートを識別するための手段、ここにおいて、前記ターゲットレートは、前記ブロードキャストチャネルについてのスケーリングされたレートよりも高く、前記スケーリングされたレートは、前記通常帯域幅キャリアシステムのブロードキャストチャネルについての、前記フレキシブル帯域幅キャリアシステムに対応する帯域幅スケーリングファクタによってスケーリングされたレートである、と、
前記ターゲットレートを使用して、前記フレキシブル帯域幅キャリアシステムのブロードキャスト情報を送信するための手段と
を備えるワイヤレス通信システム。
【請求項２４】
前記ターゲットレートは、ターゲットデータレートである、
請求項２３に記載のワイヤレス通信システム。
【請求項２５】
前記ターゲットレートは、ターゲット繰返しレートである、
請求項２３に記載のワイヤレス通信システム。
【請求項２６】
前記フレキシブル帯域幅キャリアシステムの追加のブロードキャストチャネルを追加するための手段と、
前記ターゲットレートを使用して、前記フレキシブル帯域幅キャリアシステムの両方のブロードキャストチャネルを通じて前記ブロードキャスト情報を送信するための手段と
をさらに備える、請求項２３に記載のワイヤレス通信システム。
【請求項２７】
前記ターゲットレートは、情報データレートであり、
前記情報データレートは、前記通常帯域幅キャリアシステムの前記ブロードキャストチャネルについての前記レートと実質的に同じである、
請求項２３に記載のワイヤレス通信システム。
【請求項２８】
前記ターゲットレートを使用して前記ブロードキャスト情報を送信するのを容易にするために、前記フレキシブル帯域幅キャリアシステムの前記ブロードキャストチャネルについての無線フレームサイクルにおいて送信される各情報ブロックのロケーションを利用するための手段をさらに備える、
請求項２３に記載のワイヤレス通信システム。
【請求項２９】
前記無線フレームサイクルにおいて各情報ブロックの前記ロケーションをスケジュールするための手段をさらに備える、
請求項２８に記載のワイヤレス通信システム。
【請求項３０】
前記情報ブロックは、システム情報ブロック（ＳＩＢ）である、
請求項２９に記載のワイヤレス通信システム。
【請求項３１】
前記情報ブロックは、マスタ情報ブロック（ＭＩＢ）である、
請求項２９に記載のワイヤレス通信システム。
【請求項３２】
前記ターゲットレートを使用して前記ブロードキャスト情報を送信するのを容易にするために、前記フレキシブル帯域幅キャリアシステムの前記ブロードキャストチャネルについての無線フレームサイクルにおける無線フレームに情報ブロックをマッピングするための手段をさらに備え、前記無線フレームの持続時間は、前記帯域幅スケーリングファクタに基づく、
請求項２３に記載のワイヤレス通信システム。
【請求項３３】
前記ターゲットレートを使用して前記ブロードキャスト情報を送信するのを容易にするために、前記フレキシブル帯域幅キャリアシステムの前記ブロードキャストチャネルの１つまたは複数のプライマリ共通制御物理チャネル（ＰＣＣＰＣＨ）に関するスケーリングされた拡散ファクタを利用するための手段をさらに備え、前記スケーリングされた拡散ファクタは、前記帯域幅スケーリングファクタによって、または前記帯域幅スケーリングファクタの分数によってスケーリングされる、
請求項２３に記載のワイヤレス通信システム。
【請求項３４】
前記ブロードキャスト情報は、アクセスのための信号強度情報、サービスプロバイダ情報、および近隣セル情報のうちの１つまたは複数を含む、
請求項２３に記載のワイヤレス通信システム。
【請求項３５】
前記帯域幅スケーリングファクタは、整数値または有理数値である、
請求項２３に記載のワイヤレス通信システム。
【請求項３６】
通常帯域幅キャリアシステムに関するフレキシブル帯域幅キャリアの送信時間間隔（ＴＴＩ）を膨張させることによって、時間膨張を用いるフレキシブル帯域幅キャリアシステムのブロードキャストチャネルを通じて送信されたブロードキャスト情報をユーザ機器において受信するための手段、ここにおいて、前記ブロードキャスト情報が受信される際のターゲットレートは、前記ブロードキャストチャネルについてのスケーリングされたレートよりも高く、前記スケーリングされたレートは、前記通常帯域幅キャリアシステムのブロードキャストチャネルについての、前記フレキシブル帯域幅キャリアシステムに対応する帯域幅スケーリングファクタによってスケーリングされたレートである、と、
前記ユーザ機器との通信の候補セルを識別するために、前記ブロードキャスト情報を処理するための手段と
を備えるワイヤレス通信システム。
【請求項３７】
前記ターゲットレートは、ターゲットデータレートである、
請求項３６に記載のワイヤレス通信システム。
【請求項３８】
前記ターゲットレートは、ターゲット繰返しレートである、
請求項３６に記載のワイヤレス通信システム。
【請求項３９】
前記ブロードキャスト情報を受信するための前記手段は、
前記フレキシブル帯域幅キャリアシステムの前記ブロードキャストチャネルを通じて、および前記フレキシブル帯域幅キャリアシステムの追加のブロードキャストチャネルを通じて、前記ターゲットレートで前記ブロードキャスト情報を受信するための手段を備える、請求項３６に記載のワイヤレス通信システム。
【請求項４０】
前記ブロードキャスト情報を受信するための前記手段は、
アクセスのための信号強度情報、サービスプロバイダ情報、および近隣セル情報のうちの１つまたは複数を受信するための手段を備える、
請求項３６に記載のワイヤレス通信システム。
【請求項４１】
前記ブロードキャスト情報を受信するための前記手段は、
前記フレキシブル帯域幅キャリアシステムの前記ブロードキャストチャネルについての無線フレームサイクルを受信するための手段を備え、情報ブロックは、前記ターゲットレートに基づいて前記無線フレームサイクルにおける無線フレームにマッピングされ、前記無線フレームの持続時間は、前記帯域幅スケーリングファクタに基づく、
請求項３６に記載のワイヤレス通信システム。
【請求項４２】
前記情報ブロックは、少なくとも１つのシステム情報ブロック（ＳＩＢ）を備える、請求項４１に記載のワイヤレス通信システム。
【請求項４３】
前記情報ブロックは、少なくとも１つのマスタ情報ブロック（ＭＩＢ）を備える、請求項４１に記載のワイヤレス通信システム。
【請求項４４】
前記ブロードキャスト情報を受信するための前記手段は、
前記フレキシブル帯域幅キャリアシステムの前記ブロードキャストチャネルの１つまたは複数のプライマリ共通制御物理チャネル（ＰＣＣＰＣＨ）に関するスケーリングされた拡散ファクタに基づいて、前記ターゲットレートで前記ブロードキャスト情報を受信するための手段を備え、前記スケーリングされた拡散ファクタは、前記帯域幅スケーリングファクタによって、または前記帯域幅スケーリングファクタの分数によってスケーリングされる、請求項３６に記載のワイヤレス通信システム。
【請求項４５】
メモリと通信可能に結合された少なくとも１つのプロセッサを備えるワイヤレス通信デバイスであって、前記メモリが実行可能コードを備え、前記実行可能コードが、前記少なくとも１つのプロセッサによって実行されると、前記少なくとも１つのプロセッサに、
通常帯域幅キャリアシステムに関するフレキシブル帯域幅キャリアの送信時間間隔（ＴＴＩ）を膨張させることによって、時間膨張を用いるフレキシブル帯域幅キャリアシステムのブロードキャストチャネルについてのターゲットレートを識別すること、ここにおいて、前記ターゲットレートは、前記ブロードキャストチャネルについてのスケーリングされたレートよりも高く、前記スケーリングされたレートは、前記通常帯域幅キャリアシステムのブロードキャストチャネルについての、前記フレキシブル帯域幅キャリアシステムに対応する帯域幅スケーリングファクタによってスケーリングされたレートである、と、
前記ターゲットレートを使用して、前記フレキシブル帯域幅キャリアシステムのブロードキャスト情報を送信することと
を行わせる、ワイヤレス通信デバイス。
【請求項４６】
前記ターゲットレートは、ターゲットデータレートである、
請求項４５に記載のワイヤレス通信デバイス。
【請求項４７】
前記ターゲットレートは、ターゲット繰返しレートである、
請求項４５に記載のワイヤレス通信デバイス。
【請求項４８】
前記実行可能コードは、前記少なくとも１つのプロセッサに、
前記フレキシブル帯域幅キャリアシステムの追加のブロードキャストチャネルを追加することと、
前記ターゲットレートを使用して、前記フレキシブル帯域幅キャリアシステムの両方のブロードキャストチャネルを通じて前記ブロードキャスト情報を送信することと
を行わせる、請求項４５に記載のワイヤレス通信デバイス。
【請求項４９】
前記ターゲットレートは、情報データレートであり、
前記情報データレートは、前記通常帯域幅キャリアシステムの前記ブロードキャストチャネルについての前記レートと実質的に同じである、
請求項４５に記載のワイヤレス通信デバイス。
【請求項５０】
前記実行可能コードは、前記少なくとも１つのプロセッサに、
前記ターゲットレートを使用して前記ブロードキャスト情報を送信するのを容易にするために、前記フレキシブル帯域幅キャリアシステムの前記ブロードキャストチャネルについての無線フレームサイクルにおいて送信される各情報ブロックのロケーションを利用することを行わせる、
請求項４５に記載のワイヤレス通信デバイス。
【請求項５１】
前記実行可能コードは、前記少なくとも１つのプロセッサに、
前記無線フレームサイクルにおいて各情報ブロックの前記ロケーションをスケジュールすることを行わせる、
請求項５０に記載のワイヤレス通信デバイス。
【請求項５２】
前記情報ブロックは、システム情報ブロック（ＳＩＢ）である、
請求項５１に記載のワイヤレス通信デバイス。
【請求項５３】
前記情報ブロックは、マスタ情報ブロック（ＭＩＢ）である、
請求項５１に記載のワイヤレス通信デバイス。
【請求項５４】
前記実行可能コードは、前記少なくとも１つのプロセッサに、
前記ターゲットレートを使用して前記ブロードキャスト情報を送信するのを容易にするために、前記フレキシブル帯域幅キャリアシステムの前記ブロードキャストチャネルについての無線フレームサイクルにおける無線フレームに情報ブロックをマッピングすることを行わせ、前記無線フレームの持続時間は、前記帯域幅スケーリングファクタに基づく、請求項４５に記載のワイヤレス通信デバイス。
【請求項５５】
前記実行可能コードは、前記少なくとも１つのプロセッサに、
前記ターゲットレートを使用して前記ブロードキャスト情報を送信するのを容易にするために、前記フレキシブル帯域幅キャリアシステムの前記ブロードキャストチャネルの１つまたは複数のプライマリ共通制御物理チャネル（ＰＣＣＰＣＨ）に関するスケーリングされた拡散ファクタを利用することを行わせ、前記スケーリングされた拡散ファクタは、前記帯域幅スケーリングファクタによって、または前記帯域幅スケーリングファクタの分数によってスケーリングされる、
請求項４５に記載のワイヤレス通信デバイス。
【請求項５６】
前記ブロードキャスト情報は、アクセスのための信号強度情報、サービスプロバイダ情報、および近隣セル情報のうちの１つまたは複数を含む、
請求項４５に記載のワイヤレス通信デバイス。
【請求項５７】
前記帯域幅スケーリングファクタは、整数値または有理数値である、
請求項４５に記載のワイヤレス通信デバイス。
【請求項５８】
メモリと通信可能に結合された少なくとも１つのプロセッサを備えるワイヤレス通信デバイスであって、前記メモリが実行可能コードを備え、前記実行可能コードが、前記少なくとも１つのプロセッサによって実行されると、前記ワイヤレス通信デバイスに、
通常帯域幅キャリアシステムに関するフレキシブル帯域幅キャリアの送信時間間隔（ＴＴＩ）を膨張させることによって、時間膨張を用いるフレキシブル帯域幅キャリアシステムのブロードキャストチャネルを通じて送信されたブロードキャスト情報を受信すること、ここにおいて、前記ブロードキャスト情報が受信される際のターゲットレートは、前記ブロードキャストチャネルについてのスケーリングされたレートよりも高く、前記スケーリングされたレートは、前記通常帯域幅キャリアシステムのブロードキャストチャネルについての、前記フレキシブル帯域幅キャリアシステムに対応する帯域幅スケーリングファクタによってスケーリングされたレートである、と、
ユーザ機器との通信の候補セルを識別するために、前記ブロードキャスト情報を処理することと
を行わせる、ワイヤレス通信デバイス。
【請求項５９】
前記ターゲットレートは、ターゲットデータレートである、
請求項５８に記載のワイヤレス通信デバイス。
【請求項６０】
前記ターゲットレートは、ターゲット繰返しレートである、
請求項５８に記載のワイヤレス通信デバイス。
【請求項６１】
前記実行可能コードは、前記ワイヤレス通信デバイスに、
前記フレキシブル帯域幅キャリアシステムの前記ブロードキャストチャネルを通じて、および前記フレキシブル帯域幅キャリアシステムの追加のブロードキャストチャネルを通じて、前記ターゲットレートで前記ブロードキャスト情報を受信することを行わせる、
請求項５８に記載のワイヤレス通信デバイス。
【請求項６２】
前記実行可能コードは、前記ワイヤレス通信デバイスに、
前記ブロードキャスト情報を通じて、アクセスのための信号強度情報、サービスプロバイダ情報、および近隣セル情報のうちの１つまたは複数を受信することを行わせる、請求項５８に記載のワイヤレス通信デバイス。
【請求項６３】
前記実行可能コードは、前記ワイヤレス通信デバイスに、
前記ブロードキャスト情報を通じて、前記フレキシブル帯域幅キャリアシステムの前記ブロードキャストチャネルについての無線フレームサイクルを受信することを行わせ、情報ブロックは、前記ターゲットレートに基づいて前記無線フレームサイクルにおける無線フレームにマッピングされ、前記無線フレームの持続時間は、前記帯域幅スケーリングファクタに基づく、
請求項５８に記載のワイヤレス通信デバイス。
【請求項６４】
前記情報ブロックは、少なくとも１つのシステム情報ブロック（ＳＩＢ）を備える、請求項６３に記載のワイヤレス通信デバイス。
【請求項６５】
前記情報ブロックは、少なくとも１つのマスタ情報ブロック（ＭＩＢ）を備える、請求項６３に記載のワイヤレス通信デバイス。
【請求項６６】
前記実行可能コードは、前記ワイヤレス通信デバイスに、
前記フレキシブル帯域幅キャリアシステムの前記ブロードキャストチャネルの１つまたは複数のプライマリ共通制御物理チャネル（ＰＣＣＰＣＨ）に関するスケーリングされた拡散ファクタに基づいて、前記ターゲットレートで前記ブロードキャスト情報を受信することを行わせ、前記スケーリングされた拡散ファクタは、前記帯域幅スケーリングファクタによって、または前記帯域幅スケーリングファクタの分数によってスケーリングされる、請求項５８に記載のワイヤレス通信デバイス。
【請求項６７】
データ通信のためのコンピュータプログラム製品であって、
非一時的コンピュータ可読媒体を備え、前記非一時的コンピュータ可読媒体は、
通常帯域幅キャリアシステムに関するフレキシブル帯域幅キャリアの送信時間間隔（ＴＴＩ）を膨張させることによって、時間膨張を用いるフレキシブル帯域幅キャリアシステムのブロードキャストチャネルについてのターゲットレートを識別するように構成されたコード、ここにおいて、前記ターゲットレートは、前記ブロードキャストチャネルについてのスケーリングされたレートよりも高く、前記スケーリングされたレートは、前記通常帯域幅キャリアシステムのブロードキャストチャネルについての、前記フレキシブル帯域幅キャリアシステムに対応する帯域幅スケーリングファクタによってスケーリングされたレートである、と、
前記ターゲットレートを使用して、前記フレキシブル帯域幅キャリアシステムのブロードキャスト情報を送信するように構成されたコードと
を備える、コンピュータプログラム製品。
【請求項６８】
前記ターゲットレートは、ターゲットデータレートである、
請求項６７に記載のコンピュータプログラム製品。
【請求項６９】
前記ターゲットレートは、ターゲット繰返しレートである、
請求項６７に記載のコンピュータプログラム製品。
【請求項７０】
前記非一時的コンピュータ可読媒体は、
前記フレキシブル帯域幅キャリアシステムの追加のブロードキャストチャネルを追加するように構成されたコードと、
前記ターゲットレートを使用して、前記フレキシブル帯域幅キャリアシステムの両方のブロードキャストチャネルを通じて前記ブロードキャスト情報を送信するように構成されたコードと
を備える、請求項６７に記載のコンピュータプログラム製品。
【請求項７１】
前記ターゲットレートは、情報データレートであり、
前記情報データレートは、前記通常帯域幅キャリアシステムの前記ブロードキャストチャネルについての前記レートと実質的に同じである、
請求項６７に記載のコンピュータプログラム製品。
【請求項７２】
前記非一時的コンピュータ可読媒体は、
前記ターゲットレートを使用して前記ブロードキャスト情報を送信するのを容易にするために、前記フレキシブル帯域幅キャリアシステムの前記ブロードキャストチャネルについての無線フレームサイクルにおいて送信される各情報ブロックのロケーションを利用するように構成されたコードを備える、
請求項６７に記載のコンピュータプログラム製品。
【請求項７３】
前記非一時的コンピュータ可読媒体は、
前記無線フレームサイクルにおいて各情報ブロックの前記ロケーションをスケジュールするように構成されたコード
を備える、請求項７２に記載のコンピュータプログラム製品。
【請求項７４】
前記情報ブロックは、システム情報ブロック（ＳＩＢ）である、
請求項７３に記載のコンピュータプログラム製品。
【請求項７５】
前記情報ブロックは、マスタ情報ブロック（ＭＩＢ）である、
請求項７３に記載のコンピュータプログラム製品。
【請求項７６】
前記非一時的コンピュータ可読媒体は、
前記ターゲットレートを使用して前記ブロードキャスト情報を送信するのを容易にするために、前記フレキシブル帯域幅キャリアシステムの前記ブロードキャストチャネルについての無線フレームサイクルにおける無線フレームに情報ブロックをマッピングするように構成されたコードを備え、前記無線フレームの持続時間は、前記帯域幅スケーリングファクタに基づく、
請求項６７に記載のコンピュータプログラム製品。
【請求項７７】
前記非一時的コンピュータ可読媒体は、
前記ターゲットレートを使用して前記ブロードキャスト情報を送信するのを容易にするために、前記フレキシブル帯域幅キャリアシステムの前記ブロードキャストチャネルの１つまたは複数のプライマリ共通制御物理チャネル（ＰＣＣＰＣＨ）に関するスケーリングされた拡散ファクタを利用するように構成されたコードを備え、前記スケーリングされた拡散ファクタは、前記帯域幅スケーリングファクタによって、または前記帯域幅スケーリングファクタの分数によってスケーリングされる、
請求項６７に記載のコンピュータプログラム製品。
【請求項７８】
前記ブロードキャスト情報は、アクセスのための信号強度情報、サービスプロバイダ情報、および近隣セル情報のうちの１つまたは複数を含む、
請求項６７に記載のコンピュータプログラム製品。
【請求項７９】
前記帯域幅スケーリングファクタは、整数値または有理数値である、
請求項６７に記載のコンピュータプログラム製品。
【請求項８０】
データ通信のためのコンピュータプログラム製品であって、
非一時的コンピュータ可読媒体を備え、前記非一時的コンピュータ可読媒体は、
通常帯域幅キャリアシステムに関するフレキシブル帯域幅キャリアの送信時間間隔（ＴＴＩ）を膨張させることによって、時間膨張を用いるフレキシブル帯域幅キャリアシステムのブロードキャストチャネルを通じて送信されたブロードキャスト情報をユーザ機器において受信するように構成されたコード、ここにおいて、前記ブロードキャスト情報が受信される際のターゲットレートは、前記ブロードキャストチャネルについてのスケーリングされたレートよりも高く、前記スケーリングされたレートは、前記通常帯域幅キャリアシステムのブロードキャストチャネルについての、前記フレキシブル帯域幅キャリアシステムに対応する帯域幅スケーリングファクタによってスケーリングされたレートである、と、
前記ユーザ機器との通信の候補セルを識別するために、前記ブロードキャスト情報を処理するように構成されたコードと
を備える、コンピュータプログラム製品。
【請求項８１】
前記ターゲットレートは、ターゲットデータレートである、
請求項８０に記載のコンピュータプログラム製品。
【請求項８２】
前記ターゲットレートは、ターゲット繰返しレートである、
請求項８０に記載のコンピュータプログラム製品。
【請求項８３】
前記非一時的コンピュータ可読媒体は、
前記フレキシブル帯域幅キャリアシステムの前記ブロードキャストチャネルを通じて、および前記フレキシブル帯域幅キャリアシステムの追加のブロードキャストチャネルを通じて、前記ターゲットレートで前記ブロードキャスト情報を受信するように構成されたコードを備える、
請求項８０に記載のコンピュータプログラム製品。
【請求項８４】
前記非一時的コンピュータ可読媒体は、
前記ブロードキャスト情報を通じて、アクセスのための信号強度情報、サービスプロバイダ情報、および近隣セル情報のうちの１つまたは複数を受信するように構成されたコードを備える、
請求項８０に記載のコンピュータプログラム製品。
【請求項８５】
前記非一時的コンピュータ可読媒体は、
前記ブロードキャスト情報を通じて、前記フレキシブル帯域幅キャリアシステムの前記ブロードキャストチャネルについての無線フレームサイクルを受信するように構成されたコードを備え、情報ブロックは、前記ターゲットレートに基づいて前記無線フレームサイクルにおける無線フレームにマッピングされ、前記無線フレームの持続時間は、前記帯域幅スケーリングファクタに基づく、
請求項８０に記載のコンピュータプログラム製品。
【請求項８６】
前記情報ブロックは、少なくとも１つのシステム情報ブロック（ＳＩＢ）を備える、請求項８５に記載のコンピュータプログラム製品。
【請求項８７】
前記情報ブロックは、少なくとも１つのマスタ情報ブロック（ＭＩＢ）を備える、請求項８５に記載のコンピュータプログラム製品。
【請求項８８】
前記非一時的コンピュータ可読媒体は、
前記フレキシブル帯域幅キャリアシステムの前記ブロードキャストチャネルの１つまたは複数のプライマリ共通制御物理チャネル（ＰＣＣＰＣＨ）に関するスケーリングされた拡散ファクタに基づいて、前記ターゲットレートで前記ブロードキャスト情報を受信するように構成されたコードを備え、前記スケーリングされた拡散ファクタは、前記帯域幅スケーリングファクタによって、または前記帯域幅スケーリングファクタの分数によってスケーリングされる、
請求項８０に記載のコンピュータプログラム製品。